(57)【要約】【課題】  少ない部品点数で各機種の台間機を製造可能な遊技台用台間機を提案すること。【解決手段】  遊技台用台間機６の台間機本体１０のシャーシ３１には、カードリーダライタ２２の取り付け部４１、制御器２３の取り付け部４２、玉貸機９０の取り付け部４３、紙幣識別機２４の取り付け部４４が形成され、シャーシ前面には、紙幣挿入口付きの前面パネル２５Ａおよび紙幣挿入口無しの前面パネル２５Ｃのいずれか一方と、ノズル付きの前面パネル２５Ｄおよびノズル無しの前面パネル２５Ｂのいずれか一方とを取り付け可能である。共用のシャーシ３１を用いて、紙幣識別機付き、紙幣識別機無し、玉貸機付き、玉貸機無しの各機種の台間機６〜６Ｃを構築できる。【選択図】  図５
2005342241.tif 000002
【特許請求の範囲】
【請求項１】
台間機ホルダと、
前記台間機ホルダに対して着脱可能な状態で差し込み固定されている台間機本体とを有し、
前記台間機本体は、シャーシと、このシャーシに搭載されている制御器およびカードリーダライタとを備え、
前記シャーシには、紙幣識別機を取り付けるための紙幣識別機取り付け部および／または玉貸機を取り付けるための玉貸機取り付け部が形成されている遊技台用台間機。
【請求項２】
請求項１において、
前記シャーシの前面には、紙幣挿入口を備えた前面パネルおよび紙幣挿入口の無い前面パネルを選択的に取り付け可能な前面パネル取り付け部が形成されている遊技台用台間機。
【請求項３】
請求項１または２において、
前記シャーシの前面には、玉払い出し用ノズルを備えた前面パネルおよび玉払い出し用ノズルの無い前面パネルを選択的に取り付け可能な前面パネル取り付け部が形成されている遊技台用台間機。
【請求項４】
請求項１ないし３のうちのいずれかの項において、
前記シャーシの前記紙幣識別機取り付け部に、紙幣識別機の代わりに取り付け可能なカバー板を有し、
前記シャーシは、前記紙幣識別機取り付け部の前方に位置する前面部分に形成された紙幣挿入用開口部と、前記紙幣識別機取り付け部の後方に位置する背面部分に形成された紙幣搬出用開口部と、前記紙幣識別機取り付け部の側方に位置する側面部分に形成された紙幣識別機点検用開口部とを備えており、
前記紙幣識別機取り付け部に前記カバー板を取り付けると、前記紙幣搬出用開口部および紙幣識別機点検用開口部が封鎖状態になる遊技台用台間機。
【請求項５】
請求項１ないし４のうちのいずれかの項において、
前記シャーシの上面に形成した玉供給穴と、
前記玉貸機取り付け部に玉貸機を取り付けない場合に、前記玉供給穴を封鎖するための封鎖板とを有している遊技台用台間機。
【請求項６】
請求項１ないし５のうちのいずれかの項において、
前記シャーシは、一方の側面が開口している扁平で縦長の箱型形状をしており、
前記カードリーダライタ、前記制御器、前記紙幣識別機、前記玉貸機、前記カバー板および前記封鎖板は、前記シャーシの前記開口を介して側方から当該シャーシに取り付け可能であり、
同一の側からこれらの部品に形成した各ねじ挿通穴を通して、前記シャーシに形成した対応する各ねじ穴にねじ込まれた各固定ねじによって、これらの部品が前記シャーシに固定可能である遊技台用台間機。
【請求項７】
請求項６において、
前記シャーシの開口側から、前記前面パネルに形成した各ねじ挿通穴を通して、前記シャーシに形成した対応する各ねじ穴にねじ込まれた各固定ねじによって、前記前面パネルが前記シャーシに固定可能である遊技台用台間機。
【請求項８】
請求項１ないし７のうちのいずれかの項において、
前記台間機ホルダの背面に取り付けられている通信用の中継器を有し、
前記台間機ホルダの前方から、当該台間機ホルダに形成した各ねじ挿通穴を通して、前記中継器に形成した対応する各ねじ穴にねじ込まれた各固定ねじによって、前記中継器が前記台間機ホルダに固定されている遊技台用台間機。
【発明の詳細な説明】
【技術分野】
【０００１】
本発明は、パチンコ玉などの遊技媒体の貸し出しを行う遊技台用台間機に関するものである。さらに詳しくは、紙幣による玉貸し機能を備えた台間機、玉払い出し機能を備えた台間機、これらの機能の双方が備わっている台間機、これらの機能が備わっていないカード式の台間機などの各形式の台間機を、少ない部品点数で簡単な組付け作業によって構築でき、また、異なる形式の台間機への変更を簡単に行い得る台間機の構造に関するものである。
【背景技術】
【０００２】
パチンコ台などの遊技台の間には、磁気カードやＩＣカードによりパチンコ玉などの遊技媒体を貸し出す台間機が設置されている。台間機は、遊技島を構成している遊技島取付枠に取り付けられた遊技台に隣接配置されており、遊技島取付枠に固定された台間機ホルダと、ここに前側から着脱可能な状態で差込固定された台間機本体から構成されている。
【０００３】
台間機としては、カードによる玉貸し機能のみを備えたもの、カードおよび紙幣による玉貸し機能を備えたもの、玉払い出し機能を備えたものなど各機種のものが知られている。例えば、玉払い出し機能を備え、前面に玉払い出しノズルを備えた台間機の例が下記の特許文献１に開示されている。機種が異なると、それに応じて、台間機本体に搭載される部品が異なる。したがって、機種毎に異なる構造の台間機本体を用意しておく必要がある。
【特許文献１】特開平８−３３７６９号公報
【発明の開示】
【発明が解決しようとする課題】
【０００４】
このように、台間機本体は機種毎に異なるので、そのシャーシも機種毎に製造する必要がある。シャーシは板金加工によって製造されるので、機種に応じた数の金型が必要になり、製造コストが大幅に増加してしまう。
【０００５】
本発明の課題は、このような点に鑑みて、少ない部品点数で各機種の台間機本体を製造可能な遊技台用台間機を提案することにある。
【０００６】
また、本発明の課題は、各機種の台間機本体を簡単な組立作業により構成可能な遊技台用台間機を提案することにある。
【０００７】
さらに、本発明の課題は、台間機本体を異なる機種に組替える作業を簡単に行うことのできる遊技台用台間機を提案することにある。
【課題を解決するための手段】
【０００８】
上記の課題を解決するために、本発明の遊技台用台間機は、
台間機ホルダと、
前記台間機ホルダに対して着脱可能な状態で差し込み固定されている台間機本体とを有し、
前記台間機本体は、シャーシと、このシャーシに搭載されている制御器およびカードリーダライタとを備え、
前記シャーシには、紙幣識別機を取り付けるための紙幣識別機取り付け部および／または玉貸機を取り付けるための玉貸機取り付け部が形成されていることを特徴としている。
【０００９】
台間機本体のシャーシに、紙幣識別機取り付け部あるいは玉貸機取り付け部、または、これら双方を形成しておけば、単一のシャーシを、紙幣識別機付きの台間機、玉貸機付きの台間機、または双方を備えた台間機における台間機本体のシャーシとして共用できる。よって、機種毎に台間機本体のシャーシを製作する必要がないので、シャーシ製造用の金型も少なくて済み、台間機の製造コストを低減できる。
【００１０】
ここで、台間機本体の前面に取り付けられる前面パネルは、紙幣識別機が備わっている場合には、紙幣挿入口を備えたものが用いられる。したがって、前記シャーシの前面には、紙幣挿入口を備えた前面パネルおよび紙幣挿入口の無い前面パネルを選択的に取り付け可能な前面パネル取り付け部を形成しておけばよい。
【００１１】
同様に、玉貸機付きの場合には、前面パネルは玉払い出し用のノズルが取り付けられたものが用いられる。したがって、前記シャーシの前面には、玉払い出し用ノズルを備えた前面パネルおよび玉払い出し用ノズルの無い前面パネルを選択的に取り付け可能な前面パネル取り付け部を形成しておけばよい。
【００１２】
次に、紙幣識別機が取り付けられる台間機本体のシャーシには、前記紙幣識別機取り付け部分の前方に位置する前面部分に紙幣挿入用開口部が形成され、前記紙幣識別機取り付け部分の後方に位置する背面部分に紙幣搬出用開口部が形成され、前記紙幣識別機取り付け部分の側方に位置する側面部分には紙幣識別機点検用開口部が形成されている。点検用開口部は、紙幣識別機内で紙幣詰まりが発生した場合などに利用される。これらの開口部は、紙幣識別機取り付け部に紙幣識別機が取り付けられていない台間機の場合には不要であり、そこから塵などが侵入する可能性がある。そこで、前記シャーシの前記紙幣識別機取り付け部に、紙幣識別機の代わりに取り付け可能なカバー板を有し、前記紙幣識別機取り付け部に前記カバー板を取り付けて、前記紙幣搬出用開口部および紙幣識別機点検用開口部を封鎖できるようにすることが望ましい。なお、シャーシ前面に形成した紙幣挿入用開口部は、紙幣挿入口の無い前面パネルを当該シャーシ前面に取り付けることにより封鎖される。
【００１３】
一方、シャーシを玉貸機付きの台間機用のシャーシとして用いるために、当該シャーシの上面には、遊技島に配置した玉供給機構から遊技玉を受け入れる玉供給穴が形成されている。玉貸機を取り付けない場合には、不要となるこの玉供給穴を封鎖するための封鎖板を用意しておけばよい。
【００１４】
ここで、前記シャーシを、一方の側面が開口している扁平で縦長の箱型形状のものとすることができる。この場合には、前記カードリーダライタ、前記制御器、前記紙幣識別機、前記玉貸機、前記カバー板および前記封鎖板を、前記シャーシの前記開口を介して側方から当該シャーシに取り付け可能とし、同一の側からこれらの部品に形成した各ねじ挿通穴を通して、前記シャーシに形成した対応する各ねじ穴にねじ込まれる各固定ねじによって、これらの部品を前記シャーシに固定することが望ましい。このようにすれば、同一の側から、各部品をシャーシに取り付ける作業を行うことができるので、組付け作業が簡単になる。また、機種の変更のための部品の付け替え作業も簡単にできる。
【００１５】
同様に、前記シャーシの開口側から、前記前面パネルに形成した各ねじ挿通穴を通して、前記シャーシに形成した対応する各ねじ穴にねじ込まれた各固定ねじによって、前記前面パネルも前記シャーシに固定できるようにすることが望ましい。
【００１６】
次に、遊技島に固定されている台間機ホルダにおいては、一般に、その背面に通信用の中継器が取り付けられている。この場合、前記台間機ホルダの前方から、当該台間機ホルダに形成した各ねじ挿通穴を通して、前記中継器に形成した対応する各ねじ穴にねじ込まれた各固定ねじによって、前記中継器を前記台間機ホルダに固定することが望ましい。このようにすれば、中継器の組付け、取り外しを前方から簡単に行うことができる。
【発明の効果】
【００１７】
本発明の遊技台用台間機では、その台間機ホルダのシャーシを、紙幣識別機付きの機種および紙幣識別機無しの機種、または、玉貸機付きの機種および玉貸機無しの機種に共通のシャーシとして使用することができる。よって、機種毎に異なる種類のシャーシを用いる場合に比べて、台間機の製造コストを低減できる。
【００１８】
また、本発明では、紙幣識別機無しの場合には、シャーシにカバー板を取り付けて、紙幣搬出用開口などの不要な開口部を封鎖できるようになっている。また、玉貸機無しの場合には、玉供給穴を封鎖板で封鎖できるようになっている。したがって、不要な開口部から塵などの異物が内部に侵入することを防止できる。
【００１９】
さらに、本発明では、シャーシに対して各部品を同一側から取り付け、同一側からねじ止めしてシャーシに固定できるようになっている。したがって、各機種の台間機の組立作業が容易になり、また、機種を変更する場合における部品の取り外し、取り付け作業も容易になる。
【００２０】
これに加えて、本発明では、台間機ホルダの背面に取り付けられている中継器の取り付け、取り外しを前側から行うことができるので、中継器の取り付け、取り外し作業も容易になる。
【発明を実施するための最良の形態】
【００２１】
以下に、図面を参照して、本発明を適用した遊技台用台間機を説明する。
【００２２】
（遊技システム）
図１は本実施の形態に係る遊技台用台間機を備えた遊技システムを示す部分正面図である。遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機(遊技台用台間機)６とを備えている。本例の台間機６は、紙幣識別機付きで、玉貸機の付いていないタイプのものである。
【００２３】
（台間機）
図２(ａ)、(ｂ)および(ｃ)は台間機６の正面図、側面図および裏面図であり、図３は台間機ホルダから台間機本体を引き抜いた状態を示す斜視図である。これらの図に示すように、台間機６は、遊技島取付枠３に固定されている台間機ホルダ１０と、この台間機ホルダ１０に対して前方から水平に差し込み固定可能な台間機本体２０から構成されている。
【００２４】
台間機ホルダ１０は、縦枠１１と、この縦枠１１の上下の端から前方に水平に延びている上側水平枠１２および下側水平枠１３とを備えている。下側水平枠１３には電源ユニット１４が取り付けられており、この電源ユニット１４の上面には縦枠１１から前方に水平に延びる水平枠１５が取り付けられている。この水平枠１５と上側水平枠１２の間に、前方から台間機本体２０を差し込み可能である。
【００２５】
台間機本体２０は、縦長の扁平な箱型のシャーシ２１と、このシャーシ２１に内蔵されているカードリーダライタ２２、制御器２３および紙幣識別機２４と、シャーシ２１の前面に取り付けられている前面パネル２５とを備えている。前面パネル２５は、上側パネル２５Ａと下側パネル２５Ｂから構成されている。
【００２６】
また、台間機ホルダ１０と台間機本体２０の間には、台間機本体２０を台間機ホルダ１０にロックするためのロック機構が取り付けられている。台間機本体２０の背面には、上側に係合穴２６が形成され、下側に係合爪２７が形成されている。台間機ホルダ１０の縦枠１１の背面には上下にスライド可能なスライド板１６が取り付けられ、このスライド板１６には、台間機本体側の係合穴２６の下縁部分２６ａに係合可能な係合爪１７が取り付けられている(図６参照)。また、スライド板１６の下縁部分１６ａは、台間機本体側の係合爪２７に係合可能である。
【００２７】
台間機本体２０を台間機ホルダ１０に差し込むと、台間機本体側の係合穴２６の下縁部分２６ａ、および係合爪２７が、それぞれ、台間機ホルダ側の係合爪１７、およびスライド板の下縁部分１６ａに係合して、台間機本体２０のロック状態が自動的に形成される。スライド板１６の上端部分にはロック解除用操作ワイヤ１８が連結されており、このロック解除操作用ワイヤ１８を引き上げることにより、ロックを解除して、台間機本体２０を引き抜くことが可能である。
【００２８】
さらに、台間機ホルダ１０の縦枠１１の背面には通信用の中継器１９が取り付けられている。この中継器１９には、前向き姿勢でホルダ側コネクタ(図示せず)が取り付けられている。台間機本体２０の制御器２３には、後向き姿勢で本体側コネクタ(図示せず)が取り付けられている。台間機本体２０を台間機ホルダ１０に差し込むと、差込動作に連動してロック状態が形成されると共に、本体側コネクタがホルダ側コネクタに接続された状態が形成される。これにより、制御器２３は中継器１９を経由して外部との間の通信が可能になる。
【００２９】
（台間機本体）
図４は台間機本体２０の主要部分を示す分解斜視図であり、図５(ａ)および(ｂ)はそのシャーシ単体を示す側面図およびシャーシへの部品取り付け状態を示す側面図である。台間機本体２０は、側方が開口している縦長の扁平な箱型形状をしたシャーシ３１と、このシャーシ３１の開口を封鎖する状態に当該シャーシ３１に取り付けたシャーシカバー３２から構成されている。
【００３０】
シャーシ３１は、内側面が部材取り付け面となっている縦長の側板部分３３と、この側板部分３３の上端縁および下端縁から横方に直角に折れ曲がっている天板部分３４および底板部分３５と、側板部分３３の前端縁および後端縁から横方に直角に折れ曲がっている前板部分３６および後板部分３７から形成されている。このシャーシ３１には、その底板部分３５の側から天板部分３４に向けて、カードリーダライタ取り付け部４１、制御器取り付け部４２、玉貸機取り付け部４３および紙幣識別機取り付け部４４がこの順序で形成されている。
【００３１】
カードリーダライタ取り付け部４１の側板部分３３には、上下方向に平行に延びる前後一対の支持突起３３ａ、３３ｂと、これらの間の上側に位置する台形状に突出した取り付け面３３ｃが形成されており、取り付け面３３ｃの中央にはねじ穴が形成されている。カードリーダライタ２２の側面２２ａは支持突起３３ａ、３３ｂに当接する平坦面とされており、その上端中央部分にはねじ挿通穴が形成された取り付け用の脚部２２ｂが形成されている。カードリーダライタ２２を底板部分３５に載せ、その側面２２ａを支持突起３３ａ、３３ｂに押し付け、脚部２２ｂを取り付け面３３ｃに位置決めし、この状態で、固定ねじ４５を側方からねじ込むことにより、当該カードリーダライタ２２をシャーシ３１のカードリーダライタ取り付け部４１に取り付けることができる。
【００３２】
カードリーダライタ取り付け部４１の上側の制御器取り付け部４２における側板部分３３には、上下の四隅に台形状に突出させた４個の取り付け面３３ｄが形成され、これらの中央にはねじ穴が形成されている。制御器２３の上端面および下端面の左右の端からは上下に延びる取り付け用の４つの脚部２３ａが形成されており、これらの中心にはねじ挿通穴が形成されている。制御器２３を制御器取り付け部４２の側板部分３３の部位に横方から取り付け、各脚部２３ａを対応する取り付け面３３ｄに位置決めし、この状態で、固定ねじ４６を側方からねじ込むことにより、当該制御器２３をシャーシ３１に取り付けることができる。
【００３３】
制御器取り付け部４２の上側の玉貸機取り付け部４３における側板部分３３には、円形状に突出させた６個の取り付け面３３ｅが形成されており、これらの中心にはねじ穴が形成されている。後述する玉貸機(図７参照)を側方から、これらの取り付け面３３ｅに位置決めして、固定ねじ(図示せず)によってシャーシ３１に取り付けることが可能である。本例の台間機６は玉貸機無しのタイプであり、玉貸機取り付け部４３は空いた状態となっている。
【００３４】
なお、６箇所の取り付け面３３ｅ以外に、３箇所に円形状に突出した取り付け面３３ｆが形成されている。これらは、スライド板１６をロック解除位置に保持するための板ばね４７およびそのカバー板４８と、部材４９をそれぞれ取り付けるための部分であり、これらの部材４８、４９も固定ねじ５０によって固定されている。
【００３５】
次に、シャーシ３１における最も上側の紙幣識別機取り付け部４４には、上側および下側に１箇所ずつ、円形に突出させた取り付け面３３ｇ、３３ｈが形成されており、これらの中心にはねじ穴が形成されている。また、３箇所にねじ穴３３ｉ、３３ｊ、３３ｋが形成されている。紙幣識別機２４の側には、これらに対応する取り付け用の脚部２４ｇ、２４ｈ、２４ｉ、２４ｊ、２４ｋが形成されており、これらの中心にはねじ挿通穴が形成されている。紙幣識別機２４を、側方からシャーシ３１の側板部分３３に取り付け、その脚部２４ｇ〜２４ｋを対応する取り付け面３３ｇ〜３３ｋに位置決めし、固定ねじ５１を側方からねじ込むことにより、当該紙幣識別機２４をシャーシ３１の側板部分３３に取り付けることができる。
【００３６】
ここで、紙幣識別機２４の後端には搬出される紙幣をガイドするための紙幣ガイド５２が配置されており、紙幣ガイド５２の上下には取り付け用の脚５２ｊ、５２ｋが形成されている。この紙幣ガイド５２も紙幣識別機２４と共にシャーシ３１の側板部分３３にねじ止めされる。また、Ｌ形の封鎖板５４も、そこに形成したねじ挿通穴５４ｉを、紙幣識別機２４における後端上側の脚部２４ｉのねじ穴に位置決めして、側方から固定ねじ５１をねじ込むことにより、側板部分３３に取り付けられている。
【００３７】
次に、シャーシ３１の天板部分３４の後端部分には玉供給穴３４ａが形成されている。封鎖板５４の水平部分５４ｃは、玉供給穴３４ａの真下に位置し、この玉供給穴３４ａを封鎖している。後述のように、玉貸機が取り付けられる場合には封鎖板５４が取り外される。
【００３８】
シャーシ３１の前板部分３６には、その紙幣識別機取り付け部４４に取り付けた紙幣識別機２４の前側に位置している部位に、紙幣挿入用開口部３６ａが形成されている。この開口部３６ａの下側には配線用の開口部３６ｂ、３６ｃ、３６ｄが形成されている。また、開口部３６ｃ、３６ｄの間には、玉払い出し用の開口部３６ｅが形成されている。
【００３９】
シャーシ３１の後板部分３７には、紙幣識別機２４の裏面側に位置している部位に紙幣搬出用開口部３７ａが形成されている。この下側には係合穴２６が形成され、さらに下側の部位には、ホルダ側コネクタ(図示せず)が差し込まれる開口部３７ｂが形成されている。
【００４０】
一方、シャーシカバー３２には、矩形の点検用開口部３２ａが形成されている。この点検用開口部３２ａは、紙幣識別機２４の側面に形成した点検用の開閉蓋２４ｂよりも一回り大きな形状をしている。したがって、側方から紙幣識別機２４の開閉蓋２４ｂを横方に開けて、紙幣詰まり発生時などにおいてその回復作業を行うことができる。
【００４１】
次に、シャーシ３１の前板部分３６に取り付けられている上側パネル２５Ａは、その上端部分には呼出ランプ６１が配置されており、この呼出ランプ６１は、上側パネル２５Ａに形成した開口部６１ａと、この裏面側に固定ねじ６１ｂによって取り付けたＬＥＤ基板６１ｃと、その前側に取り付けたレンズカバー６１ｄとを備えている。この呼出ランプ６１の下側には上下に延びる紙幣挿入口６２が形成され、この紙幣挿入口６２から挿入された紙幣が、紙幣挿入用開口部３６ａを介して、紙幣識別機２４に送り込まれるようになっている。紙幣挿入口６２の下側には、入金の可否などを表示するための動作表示部６３が配置されている。動作表示部６３は、上側パネル２５Ａに形成した表示パネル部分６３ａと、その前面に取り付けた透明カバー６３ｂと、その裏面に固定ねじ６３ｃによって固定したＬＥＤ基板６３ｄから構成されている。
【００４２】
動作表示部６２の下側には液晶表示部を備えた操作部６４が配置されている。この操作部６４は、上側パネル２５Ａに形成した操作パネル部分６４ａと、この裏面に取り付けた制御基板６４ｂとを備えており、制御基板６４ｂにはテンキー、液晶パネルが搭載されており、液晶パネルの部分がカバー６４ｃによって保護されている。制御基板６４ｂは固定ねじ６４ｄによって操作パネル部分６４ａの裏面に固定されている。
【００４３】
下側パネル２５Ｂは、その上側部位に、台間機本体２０を引き抜く際に用いる摘み部分６５が形成されており、その下側の部位にはカード挿入口６６が形成されている。
【００４４】
ここで、シャーシ３１の前板部分３６の側縁には前方に直角に折り曲げられた取り付け面３６ｆが形成されている。シャーシカバー３２には、その前縁部分に細幅の合わせ面３２ｂが形成され、その後縁および上縁には、横方に直角に折り曲げられた合わせ面３２ｃ、３２ｄが形成されている。合わせ面３２ｂは、シャーシ３１の合わせ面３６ｆに重ね合わされ、合わせ面３２ｃ、３２ｄはそれぞれシャーシ３１の後板部分３７の背面側および天板部分３４の上側に重ね合わされており、この状態で、後側から固定ねじ６７によって、シャーシカバー３２がシャーシ３１に取り付けられている。
【００４５】
また、上側パネル２５Ａは、側方から、シャーシカバー３２の合わせ面３２ｂを挟んだ状態で、シャーシ３１の前面上側部分に、４本の固定ねじ７１によって固定されている。同様に、下側パネル２５Ｂも、側方から２本の固定ねじ７２によってシャーシ３１の前面下側部分に固定されている。
【００４６】
（台間機ホルダ）
次に、図６は台間機ホルダ１０の主要部分を示す分解斜視図である。先に述べたように、台間機ホルダ１０の縦枠１１の背面には中継器１９が取り付けられている。この中継器１９は、縦枠１１の前方から、上下２本ずつの固定ねじ７３をねじ込むことにより、縦枠１１に固定されている。また、台間機本体２０を台間機ホルダ１０にロックするための構成部品であるスライド板１６は、その上下の端部分が、縦枠１１に固定したブラケット７４、７５に対して、上下方向にスライド可能に取り付けられている。これらのブラケット７４、７５は、縦枠１１の前方から、それぞれ２本ずつの固定ねじ７６、７７をねじ込むことにより、縦枠１１に固定されている。
【００４７】
（台間機の機種変更）
ここで、本例の台間機６(紙幣識別機有ユニット)を紙幣識別機無しの台間機(紙幣識別機無ユニット)に変更する場合には、同一のシャーシ３１およびシャーシカバー３２をそのまま用いることができる。
【００４８】
図７(ａ)は紙幣識別機無しの台間機６Ａ(紙幣識別機無ユニット)に変更した後の状態を示す説明図であり、図８は台間機６Ａの正面図、側面図および裏面図であり、図９はその台間機本体の分解斜視図である。これらの図において台間機６の各部分に対応する部位には同一符号を付し、それらの説明は省略する。紙幣識別機無しの台間機６Ａでは、紙幣識別機取り付け部４４に、紙幣識別機２４の代わりにカバー板８０が取り付けられている。また、上側パネル２５Ａとして、紙幣挿入口６２の付いていない上側パネル２５Ｃが取り付けられている。
【００４９】
カバー板８０は、図９から分かるように、矩形の側板部分８１と、この側板部分８１の上下の縁から横方向に直角に折れ曲がっている天板部分８２および底板部分８３と、側板部分８１の後端縁から横方向に直角に折れ曲がっている後板部分８４とを備えている。天板部分８２の左右の縁端から上方に直角に折れ曲がって延びる取り付け用の２つの脚部８２ｇ、８２ｉが形成され、これらの中心にはねじ挿通穴が形成されている。また、底板部分８３の縁端からも１つの脚部８３ｈが下方に直角に折れ曲がって延び、その中心にねじ挿通穴が形成されている。これらの脚部８２ｇ〜８２ｉは、側方からシャーシ３１の上側前端の取り付け面３３ｇ〜３３ｉのねじ穴にねじ込み固定した固定ねじ８５によって、シャーシ３１に固定されている。
【００５０】
シャーシ３１に取り付けたカバー板８０の側板部分８１は、シャーシカバー３２の点検用開口部３２ａを封鎖した状態になり、また、後板部分８４はシャーシ後板部分３７の紙幣搬出用開口部３７ａを封鎖した状態になる。一方、シャーシ３１の前板部分３６に取り付けた上側パネル２５Ｃには紙幣挿入口６２が付いていないので、当該上側パネル２５Ｃによって、シャーシ３１の前板部分３６に形成されている紙幣挿入用開口部３６ａも封鎖された状態になる。
【００５１】
このように、紙幣識別機無しの台間機６Ａは、紙幣識別機付きの台間機６から紙幣識別機２４と、上側パネル２５Ａを取り外し、代わりに、カバー板８０および上側パネル２５Ｃを取り付けることにより構成できる。よって、双方の台間機６、６Ａではシャーシ３１およびシャーシカバー３１を共用できる。また、シャーシ３１に対する紙幣識別機２４、カバー板８０、上側パネル２５Ａ、２５Ｃの取り付け、取り外しは、同一の側方から行うことができる。したがって、台間機の組立作業が容易であり、また、機種変更に伴う部品の取替え作業も簡単になる。
【００５２】
次に、図７(ｂ)に示すように、台間機６を、紙幣識別機および玉貸機を備えた台間機６Ｂ(紙幣識別機有玉貸機)に変更する場合には、台間機６のシャーシ３１における玉貸機取り付け部４３に玉貸機９０を取り付け、玉供給穴３４ａを封鎖している封鎖板５４を取り外し、下側パネル２５Ｂの代わりに玉払い出しノズル９１を備えた下側パネル２５Ｄを取り付ければよい。また、図７(ｃ)に示すように、台間機６を、紙幣識別機の無い玉貸機付きの台間機６Ｃ(紙幣識別機無玉貸機)に変更する場合には、紙幣識別機２４の代わりにカバー板８０を取り付け、封鎖板５３を取り外し、下側パネル２５Ｂの代わりに下側パネル２５Ｄを取り付ければよい。いずれの場合においてもシャーシ３１およびシャーシカバー３１を共用できる。
【図面の簡単な説明】
【００５３】
【図１】本発明を適用した台間機を備えた遊技システムの部分正面図である。
【図２】図１の遊技システムの台間機の正面図、側面図および裏面図である。
【図３】図２の台間機における台間機ホルダから台間機本体を引き抜いた状態を示す斜視図である。
【図４】図２の台間機の台間機本体の分解斜視図である。
【図５】図２の台間機の台間機本体におけるシャーシ単体の側面図、およびシャーシに各部品を取り付けた状態を示す説明図である。
【図６】図２の台間機の台間機ホルダの分解斜視図である。
【図７】(ａ)〜(ｃ)は共通のシャーシを用いて構成された各機種の台間機における部品の取り付け状態を示す説明図である。
【図８】紙幣識別機無しの台間機の正面図、側面図および裏面図である。
【図９】図８の台間機の台間機本体の分解斜視図である。
【符号の説明】
【００５４】
１    遊技システム
２    遊技島
３    遊技島取り付け枠
４    遊技ユニット
５    遊技台
６    台間機
１０  台間機ホルダ
１９  中継器
２０  台間機本体
２２  カードリーダライタ
２３  制御器
２４  紙幣識別機
２５  前面パネル
２５Ａ、２５Ｃ  上側パネル
２５Ｂ、２５Ｄ  下側パネル
４１  カードリーダライタ取り付け部
４２  制御器取り付け部
４３  玉貸機取り付け部
４４  紙幣識別機取り付け部
３４ａ  玉供給穴
３６ａ、３７ａ、３２ａ  開口部
５３  閉鎖板
８０  カバー板
９０  玉貸機
【図１】
2005342241.tif 000003
【図２】
2005342241.tif 000004
【図３】
2005342241.tif 000005
【図４】
2005342241.tif 000006
【図５】
2005342241.tif 000007
【図６】
2005342241.tif 000008
【図７】
2005342241.tif 000009
【図８】
2005342241.tif 000010
【図９】
2005342241.tif 000011